(57)【要約】【課題】端子を覆ってその外周に取り付けられるハウジングの取付作業を簡単にすることができるシールドコネクタを提供する。【解決手段】中心導体と外部導体との間に絶縁層が介在されてなる配線体と、該配線体の前記中心導体に接続された端子と、該端子を覆ってその外周に取り付けられた内側ハウジングと、該内側ハウジングの外周に取り付けられ前記外部導体と電気的に接続されているシールド部材と、該シールド部材の外周に取り付けられた外部ハウジングとを備えたシールドコネクタにおいて、前記内側ハウジングは、複数に分割された部品が組み合わされて構成されている。【選択図】  図２
2004192927.tif 000002
【特許請求の範囲】
【請求項１】
中心導体と外部導体との間に絶縁層が介在されてなる配線体と、該配線体の前記中心導体に接続された端子と、該端子を覆ってその外周に取り付けられた内側ハウジングと、該内側ハウジングの外周に取り付けられ前記外部導体と電気的に接続されているシールド部材と、該シールド部材の外周に取り付けられた外部ハウジングとを備えたシールドコネクタにおいて、
前記内側ハウジングは、複数に分割された部品が組み合わされて構成されていることを特徴とするシールドコネクタ。
【発明の詳細な説明】
【０００１】
【発明の属する技術分野】
本発明は、中心導体と外部導体との間に絶縁層が介在されてなる配線体の接続に用いられるシールドコネクタに関する。
【０００２】
【従来の技術】
中心導体と外部導体との間に絶縁層が介在されてなる配線体、例えばシールドケーブルを接続するために、シールド構造のコネクタ（本明細書では「シールドコネクタ」と表記する。）を用いることが一般的である。
【０００３】
シールドコネクタの例として、中心導体と外部導体との間に絶縁層が介在されてなる配線体と、該配線体の前記中心導体に接続された端子と、該端子を覆ってその外周に取り付けられたハウジングと、該ハウジングの外周に取り付けられ前記外部導体と電気的に接続されている金属シェルと、該金属シェルの外周に取り付けられたカバーとを備えたものが知られている（特許文献１参照）。
【０００４】
【特許文献１】特開平１０−３１２８５７号公報（２ページ２欄１５行〜３ページ３欄３０行、図１〜図６）
【０００５】
【発明が解決しようとする課題】
ところで、特許文献１記載のハウジングは、端子挿通孔を有する一体構造のものであり、このような構造であると、該ハウジングを端子に取り付ける際、端子の先端側からハウジングに挿入しなければならないため、ハウジングの取付作業における端子の位置合わせ作業等が面倒になるという問題があった。
【０００６】
そこで、本発明では、端子を覆ってその外周に取り付けられるハウジングの取付作業を簡単にすることができるシールドコネクタを提供することを目的とする。
【０００７】
【課題を解決するための手段】
請求項１の発明は、中心導体と外部導体との間に絶縁層が介在されてなる配線体と、該配線体の前記中心導体に接続された端子と、該端子を覆ってその外周に取り付けられた内側ハウジングと、該内側ハウジングの外周に取り付けられ前記外部導体と電気的に接続されているシールド部材と、該シールド部材の外周に取り付けられた外部ハウジングとを備えたシールドコネクタにおいて、前記内側ハウジングは、複数に分割された部品が組み合わされて構成されていることを特徴とする。
【０００８】
【発明の実施の形態】
本発明の実施形態を、図面を用いて説明する。
【０００９】
図１は本発明の実施形態のシールドコネクタの一例を概略的に示す断面図であり、図２は本発明の実施形態のシールドコネクタの一例を概略的に示す正面図であり、図３は本発明の実施形態のシールドコネクタに用いられる内側ハウジングの一例を示す分解斜視図である。
【００１０】
次に、図１ないし図３における各符号を説明する。図１において、１は配線体、２は内側ハウジング、３はシールド部材、４は外側ハウジングである。
【００１１】
配線体１は、内側から中心導体１１、絶縁層１２、外部導体１３、外被１４の順に配置されて構成されたシールド構造の配線体（シールドケーブル）である。中心導体１１には端子１５が接続され、また外部導体１３にはシールド部材３と接触する接触部材１６が接続されている。
【００１２】
内側ハウジング２は、中心導体１１に接続された端子１５を覆ってその外周に取り付けられている。また、内側ハウジング２は、第１の部品２１と第２の部品２２とに分割され、それらが組み合わされて構成されている。
【００１３】
第１の部品２１には、端子１５と接触する内面側に端子１５を固定する突起部２３が形成されているとともに、外面側にシールド部材３を固定する爪状部２４が形成されている。また、第２の部品２２には、その外面側にシールド部材３を固定する爪状部２５が形成されている。なお、端子１５には前記第１の部品２１の内面側に形成された突起部２３の形状に適合する穴が設けられており、突起部２３がこの穴に嵌合するようになっている。このため、端子１５と第１の部品２１とをきわめて簡単に位置合わせすることができる。
【００１４】
また、第１の部品２１および第２の部品２２には、互いに重なる部分に嵌合を図るための機構が設けられている。具体的には、例えば図２および図３に示されるように、第１の部品２１には凸条部２６が、第２の部品２２には前記凸条部２６の形状に適合した凹溝部２７がそれぞれ設けられている。なお、第１の部品２１と第２の部品２２との嵌合を図るための機構は、図２および図３に図示されたものに限られないことはいうまでもない。
【００１５】
端子１５に設けられた穴に第１の部品２１の突起部２３が嵌合するように両者を配置し、その後第１の部品２１に第２の部品２２を取り付けて内側ハウジング２を端子１５に組み込む。その際、第１の部品２１の凸条部２６と第２の部品２２の凹溝部２７とが嵌合することにより、第１の部品２１と第２の部品２２とを容易に組み立てて内側ハウジング２とすることができる。
【００１６】
シールド部材３は、前述のように、内側ハウジング２の外周に配置され、内側ハウジング２の爪状部２４および爪状部２５に固定されている。また、その後端側には配線体１の外部導体１３に取り付けられた接触部材１６に接触して電気的接続を図るためのばね部３１が設けられている。
【００１７】
また、シールド部材３の外周には外側ハウジング４が配置され、組み立てられることにより、本発明の実施形態の一例であるシールドコネクタとなる。
【００１８】
このように、本実施形態においては、内側ハウジング２を分割してケーブル端末部１を包囲する構造としたため、内側ハウジング２を端子１５に取り付ける際に、内側ハウジング２に端子１５を貫通させる場合と比較して簡単に取り付けることができる。
【００１９】
なお、上述の実施形態の説明は、あくまでも本発明の実施形態の一例を示すものであって、本発明の実施形態は上述のものには限られない。例えば、内側ハウジングは３つ以上の部品で構成されていてもよい。また、これらの部品の結合を図るための機構や内側ハウジングと端子との位置合わせのための機構も、上述のものに限られないことはいうまでもない。
【００２０】
【発明の効果】
以上のとおり、本発明によれば、配線体の中心導体に接続された端子と、該端子を覆ってその外周に取り付けられた内側ハウジングと、該内側ハウジングの外周に取り付けられ前記外部導体と電気的に接続されているシールド部材と、該シールド部材の外周に取り付けられた外部ハウジングとを備えたシールドコネクタにおいて、内側ハウジングは複数に分割された部品が組み合わされて構成されるため、内側ハウジングを端子に簡単に取り付けることが可能となる。
【図面の簡単な説明】
【図１】本発明の実施形態のシールドコネクタの一例を概略的に示す断面図である。
【図２】本発明の実施形態のシールドコネクタの一例を概略的に示す正面図である。
【図３】本発明の実施形態のシールドコネクタに用いられる内側ハウジングの一例を示す分解斜視図である。
【符号の説明】
１  配線体
２  内側ハウジング
３  シールド部材
４  外側ハウジング
１１  内部導体
１２  絶縁層
１３  外部導体
１４  外被
１５  端子
１６  接触部材
２１  第１の部品
２２  第２の部品
２３  突起部
２４、２５  爪状部
２６  凸条部
２７  凹溝部
３１  ばね部
【図１】
2004192927.tif 000003
【図２】
2004192927.tif 000004
【図３】
2004192927.tif 000005